(57)【要約】      （修正有）【課題】シャワーヘッドが掌に収まる大きさであっても、掌の捻りに応じたホースに対する回転が自在に行える理美容シャワーヘッドとホースの連結構造を提供する。【解決手段】理美容シャワーヘッドのヘッド本体内に螺着される流量調整部材１２に、摺動筒軸１３と、円環状の回動部収納部１４と、摺動筒軸の先端部外周に位置する止め溝１３ｂとを形成するとともに、ホースの先端に取り付けた取付部材２０には、円環状の回動部２１と、この回動部の、摺動筒軸の外周面に接触する部分に位置する円環状のシール収納部２２と、ヘッド本体の端部に対向する肩部２３とを形成して、肩部とヘッド本体の端部との間、及び回動部の上下にスリップワッシャ２４を介在させる。【選択図】図３
0003189895.tif 000002
【実用新案登録請求の範囲】
【請求項１】
シャワー水を供給するためのホース３０に、取付部材２０を介して、理美容シャワーヘッド１０を回転可能に連結する構造であって、
前記理美容シャワーヘッドのヘッド本体内に外周のネジ部にて螺着される流量調整部材に、軸芯に通水路を有する摺動筒軸と、この摺動筒軸と前記外周ネジ部との間に形成した円環状の回動部収納部と、前記摺動筒軸の先端部外周に形成した止め溝とを形成するとともに、
前記ホースの先端に取り付けた取付部材に、前記回動部収納部内に収納されることになる円環状の回動部と、この回動部の、前記摺動筒軸の外周面に接触する部分に形成した円環状のシール収納部と、前記ヘッド本体の端部に対向する肩部とを形成して、
前記肩部とヘッド本体の端部との間、及び前記回動部の上下にスリップワッシャを介在させた状態で、前記摺動筒軸の止め溝に止めワッシャを取り付けたことを特徴とする理美容シャワーヘッドとホースの連結構造。
【考案の詳細な説明】
【技術分野】
【０００１】
本考案は、理美容シャワーヘッドとホースの連結構造に関し、特に理美容シャワーヘッドの方向をホースに対して自在に変更できるようにした連結構造に関するものである。
【背景技術】
【０００２】
理美容シャワーヘッドは、理髪店や美容室で使用されているもので、主として、お客様の、狭い洗面台上まで出して頂いた頭部の洗髪を行うものとして使用されるものである。狭い場所で、頭部全体の洗髪を行おうとすると、理美容シャワーヘッドの吐水方向を、シャワー水を供給するホースの方向に対して自在に変更できなければならない。
【０００３】
一般的には、理美容シャワーヘッドと、ホースとの間に取付部材を介在させるとともに、この取付部材によって理美容シャワーヘッドがホースに対して回動できるようになっている。しかしながら、ホース内にはシャワー水の圧力が掛かっていることから、この取付部材での回動はそれほど自在には行えないのが実状である。
【０００４】
シャワーヘッドとホースとの間の回動ができるようにしたものとして、特許文献１にも提案されているような「シャワーヘッド」がある。
【先行技術文献】
【特許文献】
【０００５】
【特許文献１】特開２０１０−４６２３１号公報、要約、代表図
【考案の概要】
【考案が解決しようとする課題】
【０００６】
この特許文献１にて提案されている「シャワーヘッド」は、「先端部を回転させて、散水方向を切り替えて遠くに散水できるシャワーヘッドを提供する」ことを目的としてなされたもので、図６にも示すように、「シャワーホース６に繋がる本体部１０と、散水板１２を有する回転部１１で構成され、回転部１１は本体部１０に斜めの回転面で回動可能に連結され、回転部１１を回動させることによりシャワーホース６に対する散水板１２からの散水方向を切り替えできるように構成する」という構成を有したものである。
【０００７】
これにより、この特許文献１に示されたシャワーヘッドでは、上記目的は達成できると思われるが、「回転部１１は本体部１０に斜めの回転面で回動可能に連結され」ているため、理美容シャワーヘッドには使い辛いと考えられる。何故なら、理美容シャワーヘッドは、掌内に収まる程度の大きさのものにして、シャワーヘッドがお客様の頭部にどのような位置及び角度にあるかを、掌で感じながら洗髪操作をすることが必要とされるもので、「斜めの回転面」では、それを感じ取ることができないからである。
【０００８】
そこで、本考案者等は、理美容シャワーヘッドを掌に収まる大きさのものとすることを維持しながら、掌の捻りに応じた回転が行える理美容シャワーヘッドとするにはどうしたらよいか、について種々検討を重ねてきた結果、本考案を完成したのである。
【０００９】
すなわち、本考案の目的とするところは、理美容シャワーヘッドが掌に収まる大きさであっても、掌の捻りに応じたホースに対する回転が自在に行える理美容シャワーヘッドを提供することにある。
【課題を解決するための手段】
【００１０】
以上の課題を解決するために、本考案の採った手段は、後述する最良形態の説明中で使用する符号を付して説明すると、
「シャワー水を供給するためのホース３０に、取付部材２０を介して、理美容シャワーヘッド１０を回転可能に連結する構造であって、
理美容シャワーヘッド１０のヘッド本体１１内に外周のネジ部１２ａにて螺着される流量調整部材１２に、軸芯に通水路１３ａを有する摺動筒軸１３と、この摺動筒軸１３と外周ネジ部１２ａとの間に形成した円環状の回動部収納部１４と、摺動筒軸１３の先端部外周に形成した止め溝１３ｂとを形成するとともに、
ホース３０の先端に取り付けた取付部材２０に、回動部収納部１４内に収納されることになる円環状の回動部２１と、この回動部２１の、摺動筒軸１３の外周面に接触する部分に形成した円環状のシール収納部２２と、ヘッド本体１０の端部１１ｂに対向する肩部２３とを形成して、
肩部２３とヘッド本体１０の端部１１ｂとの間、及び前記回動部２１の上下にスリップワッシャ２４を介在させた状態で、摺動筒軸１３の止め溝１３ｂに止めワッシャ１５を取り付けたことを特徴とする理美容シャワーヘッド１０とホース３０の連結構造」
である。
【００１１】
以上のような連結構造とすることによって、理美容シャワーヘッド１０のヘッド本体１１は、ホース３０の先端に取り付けられる取付部材２０に対して、自在に回転させることができるのである。その理由は次の通りである。
【００１２】
まず、当該取付構造における各部材の組み付け完了状態において、図２及び図３に示すように、ヘッド本体１１に対しては、流量調整部材１２がその外周ネジ部１２ａによって一体化されていて、当該流量調整部材１２のヘッド本体１１に対する回転はできない状態となっている。この流量調整部材１２に対しては、これに形成した回動部収納部１４内に取付部材２０側の回動部２１が収納してあるが、この回動部２１が、その上下に位置するスリップワッシャ２４や、当該取付部材２０とヘッド本体１１との間のスリップワッシャ２４を介して、流量調整部材１２に対して回転自在になっているのである。
【００１３】
そして、この回動部２１は、その直下に位置する止めワッシャ１５に支持されているのであるが、この止めワッシャ１５は、ヘッド本体１１に対して固定的な流量調整部材１２の摺動筒軸１３の止め溝１３ｂに止められているから、結果的に、回動部２１は、理美容シャワーヘッド１０側の回動部収納部１４内に回転可能ではあるが完全に抜け止めされているのである。
【００１４】
以上の結果、掌内に収まる程度の大きさにした理美容シャワーヘッド１０のヘッド本体１１は、ホース３０が繋がれている取付部材２０に対して回転自在となっているのであり、当該理美容シャワーヘッド１０の使用者は、自由の余り利かないホース３０に対して、理美容シャワーヘッド１０を自在に回動させることができるのである。
【００１５】
従って、本考案に係る理美容シャワーヘッド１０は、理美容シャワーヘッドが掌に収まる大きさであっても、掌の捻りに応じたホースに対する回転が自在に行えるものとなっているのである。
【考案の効果】
【００１６】
以上説明した通り、本考案においては、
「理美容シャワーヘッド１０のヘッド本体１１内に外周のネジ部１２ａにて螺着される流量調整部材１２に、軸芯に通水路１３ａを有する摺動筒軸１３と、この摺動筒軸１３と外周ネジ部１２ａとの間に形成した円環状の回動部収納部１４と、摺動筒軸１３の先端部外周に形成した止め溝１３ｂとを形成するとともに、
ホース３０の先端に取り付けた取付部材２０に、回動部収納部１４内に収納されることになる円環状の回動部２１と、この回動部２１の、摺動筒軸１３の外周面に接触する部分に形成した円環状のシール収納部２２と、ヘッド本体１０の端部１１ｂに対向する肩部２３とを形成して、
肩部２３とヘッド本体１０の端部１１ｂとの間、及び前記回動部２１の上下にスリップワッシャ２４を介在させた状態で、摺動筒軸１３の止め溝１３ｂに止めワッシャ１５を取り付けたこと」
にその構成上の特徴があり、これにより、理美容シャワーヘッドが掌に収まる大きさであっても、掌の捻りに応じたホース３０に対する回転が自在に行える理美容シャワーヘッド１０を提供することができるのである。
【図面の簡単な説明】
【００１７】
【図１】本考案に係る理美容シャワーヘッド１０の斜視図である。
【図２】同理美容シャワーヘッド１０を示すもので、（ａ）は正面図、（ｂ）は（ａ）中の１−１線に沿って見た縦断面図である。
【図３】図２の（ｂ）の要部を拡大して示した部分縦断面図である。
【図４】同理美容シャワーヘッド１０を分解した部品で示すもので、（ａ）は分解正面図、（ｂ）は分解断面図である。
【図５】同理美容シャワーヘッド１０を分解した状態の斜視図である。
【図６】特許文献１にて提案されている技術の斜視図である。
【考案を実施するための形態】
【００１８】
以上のように構成した本考案を、図面に示した実施の形態である理美容シャワーヘッド１０について説明すると、図１には、本考案に係る連結構造を適用した理美容シャワーヘッド１０及びホース３０の斜視図が示してある。ホース３０は、図示しないシャワー水供給源に接続されて、このシャワー水を理美容シャワーヘッド１０内に給送するものであり、図２以下に示す取付部材２０を介して理美容シャワーヘッド１０の下端に連結されるものである。
【００１９】
ホース３０の先端の連結されている理美容シャワーヘッド１０は、図２〜図５に示すように、片手の掌で包み込めるような大きさのヘッド本体１１が外形を形作っており、このヘッド本体１１の前面には、図２の（ａ）に示したように、シャワー水を吐出するシャワー口が形成してある。このヘッド本体１１内には、図３に示したように、後述する流量調整部材１２を取り付けるための内周ネジ部１１ａが形成してあり、このヘッド本体１１の図示下端は、後述する取付部材２０の肩部２３にスリップワッシャ２４を介して当接する端部１１ｂとしてある。
【００２０】
このヘッド本体１１内には、図２の（ｂ）等に示したように、流量調整部材１２やマイクロバブル発生器１６が組み込んであり、これらを通してホース３０からのシャワー水の通り道が形成してある。なお、この理美容シャワーヘッド１０は、文字通り理髪店や美容室で使用されるものであるから、当該理美容シャワーヘッド１０自体に、シャワー水の放水機能や止水機能は備えていない。
【００２１】
流量調整部材１２は、図３に示したように、上述したヘッド本体１１側の内周ネジ部１１ａに螺着される外周ネジ部１２ａを有したものであり、その軸芯には、通水路１３ａが形成してあって、この通水路１３ａによりホース３０からのシャワー水の圧力を所定値まで下げられるようにしてある。この通水路１３ａは、当該流量調整部材１２と一体的に形成してある摺動筒軸１３内に形成したものであり、この摺動筒軸１３の先端は、ヘッド本体１１の端部１１ｂからさらに下側に突出して、後述する取付部材２０内に完全に入り込める長さとしてある。そして、この摺動筒軸１３の取付部材２０内に入り込む部分の外周には、後述する止めワッシャ１５が取り付けられる止め溝１３ｂが形成してある。
【００２２】
なお、本実施形態の理美容シャワーヘッド１０では、図３等に示したように、そのヘッド本体１１内にマイクロバブル発生器１６を組み込んだものである。マイクロバブル発生器１６は、通水路１３ａから流入してきたシャワー水を、広い場所に流入させて、そこでの圧力を急激に下げるようにできる構造とすることにより、キャビテーション現象によるマイクロバブルをシャワー水中に発生させるものである。マイクロバブルを含むシャワー水は、頭皮に刺激を与えて血行をよくすることが知られている。
【００２３】
上記流量調整部材１２の外周ネジ部１２ａと、流量調整部材１２に一体化されている摺動筒軸１３との間に、回動部収納部１４が形成してある。この回動部収納部１４内には、次に述べる取付部材２０の回動部２１が回動可能に収納されるものであるが、この回動部２１を収納する前に、一枚目のスリップワッシャ２４が納められる。
【００２４】
取付部材２０は、図２の（ｂ）にも示したように、その下端にホース３０の先端が液蜜的となるように取り付けられ、その上端には、上記流量調整部材１２に形成してある回動部収納部１４内に収納される回動部２１を形成したものである。また、この取付部材２０の中程には、ヘッド本体１１の端部１１ｂが当接し得ることになる肩部２３が形成してあり、この肩部２３と上記回動部２１の間は、ヘッド本体１１内に組み付けられるように、段々に形成してある。
【００２５】
回動部２１の内面にはシール収納部２２が形成してあって、このシール収納部２２内に収納されたシール２２ａを介して、当該回動部２１は流量調整部材１２側の摺動筒軸１３に差し込まれ、回動部収納部１４内に収納される。本実施形態で採用しているマイクロバブル発生器１６は、図３にも示したように、断面ｘ字状にしたものである。摺動筒軸１３に完全に差し込まれた回動部２１は、図３にも示したように、その下側に二枚目のスリップワッシャ２４を介在させた状態で、止めワッシャ１５を摺動筒軸１３の先端に形成してある止め溝１３ｂ内に係合させることにより、摺動筒軸１３に回動可能に取り付けられるのである。そして、当該取付部材２０の肩部２３と、ヘッド本体１１側の端部１１ｂとの間には、三枚目のスリップワッシャ２４が介在される。
【００２６】
勿論、本連結構造で採用されている３枚のスリップワッシャ２４は、いずれも、その上下に位置する部材間の摩擦力を軽減するものであり、シャワー水への液蜜性を保ちながら、相対回転を滑らかにするものである。
【００２７】
取付部材２０がヘッド本体１１、つまり摺動筒軸１３に取り付けられた状態では、回動部２１の内面がシール２２ａを介して摺動筒軸１３に対して液蜜的になっているため、ホース３０からのシャワー水が外に漏れ出ることはなく、かつ回動部２１が摺動筒軸１３に対して回動可能となっている。また、回動部２１の上側に位置する一枚目のスリップワッシャ２４は、当該回動部２１が回動部収納部１４内にて通水路１３ａを中心とする回動を円滑にしているし、液蜜性も保持している。
【００２８】
回動部２１の下側で、摺動筒軸１３の通水路１３ａに止められている止めワッシャ１５との間にある二枚目のスリップワッシャ２４は、回動部２１の回動部収納部１４内からの抜け止めが果たされていると同時に、回動部２１の回動部収納部１４内にての通水路１３ａを中心とする回動を円滑にしているし、液蜜性も保持している。そして、ヘッド本体１１の端部１１ｂと取付部材２０の肩部２３との間の、三枚目のスリップワッシャ２４も、ヘッド本体１１に対する取付部材２０の回動を円滑にしていると同時に、液蜜性も維持している。
【００２９】
以上の結果、理美容シャワーヘッド１０のヘッド本体１１は、取付部材２０を介して接続したホース３０に対して、回動可能で、かつ液蜜性が維持されているから、使用者は、洗面台上のような狭い場所でも、頭部全体の洗髪を行おうとするとき、当該理美容シャワーヘッド１０の吐水方向を、ホース３０の方向に対して自在に変更できて、洗髪作業を非常に良好に行うことができるのである。
【符号の説明】
【００３０】
１０    理美容シャワーヘッド
１１    ヘッド本体
１１ａ  内周ネジ部
１１ｂ  端部
１２    流量調整部材
１２ａ  外周ネジ部
１３    摺動筒軸
１３ａ  通水路
１３ｂ  止め溝
１４    回動部収納部
１５    止めワッシャ
１６    マイクロバブル発生器
２０    取付部材
２１    回動部
２２    シール収納部
２２ａ  シール
２３    肩部
２４    スリップワッシャ
３０    ホース
【図１】
0003189895.tif 000003
【図２】
0003189895.tif 000004
【図３】
0003189895.tif 000005
【図４】
0003189895.tif 000006
【図５】
0003189895.tif 000007
【図６】
0003189895.tif 000008